(57)【特許請求の範囲】
【請求項１】
回転子のコンミテータにブラシを接触させて回転子に電流を供給するための給電装置であって、
前記コンミテータに向けて前記ブラシを保持するブラシホルダと、
該ブラシホルダが設けられたブラシホルダステーと、
前記ブラシを前記コンミテータに向けて押圧付勢するための作用側端部を有するトーションスプリングと、
前記ブラシホルダに近接して前記ブラシホルダステーに設けられたスプリング支持部と、を備え、
前記ブラシホルダには、その後端側から先端側へ向けて前記トーションスプリングの端部が出入り可能なスリットが設けられ、
前記ブラシホルダの後端面には、前記トーションスプリングの前記作用側端部を係止可能な溝から構成されている退避部が設けられ、前記ブラシホルダの後端面において前記退避部が設けられた部分は相対的に短く形成される、ことを特徴とする給電装置。
【請求項２】
回転子のコンミテータにブラシを接触させて回転子に電流を供給するための給電装置であって、
前記コンミテータに向けて前記ブラシを保持するブラシホルダと、
該ブラシホルダが設けられたブラシホルダステーと、
前記ブラシを前記コンミテータに向けて押圧付勢するための作用側端部を有するトーションスプリングと、
前記ブラシホルダに近接して前記ブラシホルダステーに設けられたスプリング支持部と、を備え、
前記ブラシホルダには、その後端側から先端側へ向けて前記トーションスプリングの端部が出入り可能なスリットが設けられ、
前記スリットを挟んだ一方の側壁の前記ブラシホルダの後端面には、前記トーションスプリングの前記作用側端部を係止可能な溝から構成されている退避部が設けられ、
かつ、前記退避部が設けられた前記スリットを挟んだ一方の側壁の前記ブラシホルダの後端面は、前記スリットを挟んだ他方の側壁の後端面に対してブラシ押圧方向に相対的に短く形成される、ことを特徴とする給電装置。
【発明の詳細な説明】
【技術分野】
【０００１】
本発明は、モータや発電機等の回転電機に使用される給電装置に関し、特に、ブラシがトーションスプリングによってコンミテータに押し付けられる構造のものに関する。
【背景技術】
【０００２】
従来のこの種の給電装置として、トーションスプリングによってブラシをコンミテータに向けて付勢する給電装置であって、モータの組立時等にモータのコンミテータとブラシとの接触を回避するため、トーションスプリングを仮止めしておくための係止部をブラシホルダの後端面に設けたものがある。例えば、特許文献１参照。
【０００３】
【特許文献１】特開２０００−３３３４１５号公報
【発明の開示】
【発明が解決しようとする課題】
【０００４】
しかしながら、ブラシホルダの後端面の上側にトーションスプリングを仮止めするための係止部が設けられた給電装置においては、トーションスプリングの端部を操作して係止部からブラシホルダのスリット内に落とす作業を実施する際に、モータの給電装置が装着される部位の周囲にモータの構成部品が位置する等で、その作業を上方から行った場合、トーションスプリングの端部がうまくスリット内に入らずに、スリットの開口縁を越えてブラシホルダの下側の後端面にまで到達してしまうことがあり、トーションスプリングの作用側端部をブラシに係止（接触）させることができなくなることがあった。
【０００５】
本発明の目的は、ブラシホルダ後端面の係止部に仮止めされたトーションスプリングの作用側端部を、片側から操作して仮止めを解除する場合であっても、ブラシに確実に係止させることができる給電装置を提供することにある。
【課題を解決するための手段】
【０００６】
前記した課題を解決するための手段のうち代表的なものは、次の通りである。
（１）回転子のコンミテータにブラシを接触させて回転子に電流を供給するための給電装置であって、
前記コンミテータに向けて前記ブラシを保持するブラシホルダと、
該ブラシホルダが設けられたブラシホルダステーと、
前記ブラシを前記コンミテータに向けて押圧付勢するための端部を有するトーションスプリングと、
前記ブラシホルダに近接して前記ブラシホルダステーに設けられたスプリング支持部と、を備え、
前記ブラシホルダには、その後端側から先端側へ向けて前記トーションスプリングの端部が出入り可能なスリットが設けられるとともに、前記ブラシホルダの後端面は前記スリットの解除操作側より対向側の方が前記ブラシ押圧方向に相対的に長く形成され、
前記ブラシホルダの後端面の前記解除操作側には、前記トーションスプリングの端部を退避可能な退避部が設けられていることを特徴とする給電装置。
（２）前記退避部は前記トーションスプリングの端部を係止可能な溝から構成されていることを特徴とする（１）に記載の給電装置。
【発明の効果】
【０００７】
前記（１）（２）の手段によれば、ブラシホルダ後端面の係止部に仮止めされたトーションスプリングの作用側端部を、片側から操作して仮止めを解除する場合であっても、ブラシに確実に係止させることができる。
【発明を実施するための最良の形態】
【０００８】
本実施形態において、本発明に係る給電装置は、車載用モータに使用されるものとして、図１および図２に示されているように構成されている。
【０００９】
このモータの給電装置１０はブラシホルダステー（以下、ステーという。）１１を備えている。ステー１１は絶縁性を有する樹脂が使用されて、平面視が四隅に円弧部を有する正方形板形状に一体成形されている。ステー１１は中央部に円形孔を開設されており、円形孔はモータの回転子に設けられるコンミテータ１２Ａを挿通するコンミテータ挿通部１２を形成している。
【００１０】
ステー１１の一端面（以下、上面とする。）にはプラス側ブラシホルダ１３およびマイナス側ブラシホルダ１４が、それぞれ垂直方向上向きに突設されている。両ブラシホルダ１３、１４は互いに周方向に９０度の位相差をとって、それぞれコンミテータ挿通部１２の中心の法線上に延在するように配されている。
プラス側ブラシホルダ１３とマイナス側ブラシホルダ１４とは同一形状に形成されて、コンミテータ挿通部１２の法線を基準に対称形状にそれぞれ配置されているので、以下、構成は一方のプラス側ブラシホルダ１３を代表にして、図３について説明する。
【００１１】
図３に示されているように、プラス側ブラシホルダ１３は本体２０を備えており、本体２０は略正方形筒形状に形成されている。本体２０はステー１１上面に直角に立設されており、本体２０は筒心をコンミテータ挿通部１２の法線に一致するように配されている。
本体２０の筒内径はブラシ収容室２１を形成している。ブラシ収容室２１は後記するブラシを筒心方向（以下、内外方向とする。）に摺動自在に嵌入されて保持し得る大きさに形成されている。また、ブラシ収容室２１は内外両端面をそれぞれ開放している。
本体２０はピグテール引出し用スリット２２を天井壁に一体的に開設されており、ピグテール引出し用スリット２２は内外方向に延在している。本体２０はトーションスプリング用スリット２３を片方の側壁に一体的に開設されており、トーションスプリング用スリット２３は内外方向に延在している。ピグテール引出し用スリット２２およびトーションスプリング用スリット２３はコンミテータ挿通部１２側の壁を残した状態で外側端をそれぞれ開口している。
本体２０後端面のピグテール引出し用スリット２２側の端部には、トーションスプリング３２の作用側端部３２ａを係止可能な溝２４が没設されている。この溝（以下、退避溝という。）２４は、モータの組立時等にモータのコンミテータ１２Ａとブラシ３４との接触を回避するため、トーションスプリング３２の作用側端部３２ａを仮止めしておくことにより、トーションスプリング３２の作用側端部３２ａを退避可能な退避部を構成している。
本体２０の天井壁におけるピグテール引出し用スリット２２を挟んでトーションスプリング用スリット２３が設けられた側と、トーションスプリング用スリット２３が設けられた壁部における退避溝２４側は、本体２０の内外方向の寸法が短くされた段部２５が設けられている。すなわち、本体２０の後端面は、退避溝２４が設けられた部分の天井壁と側壁がブラシ３４押圧方向に相対的に短く形成されている。なお、本体２０の段部２５のトーションスプリング用スリット２３を挟んだ下側の側壁の後端面は、トーションスプリング用スリット２３が設けられない側の側壁の後端面と一致している（面一になっている）。
【００１２】
図１および図２に示されているように、ステー１１の上面には、トーションスプリング支持部としてのトーションスプリング支持柱（以下、支持柱という。）３０が一対、それぞれ直角に突設されている。両支持柱３０、３０は両ブラシホルダ１３、１４の側方の片脇に配置されている。両支持柱３０、３０は同一の円柱形状に形成されている。両支持柱３０、３０はトーションスプリング３２を外側に装着してそれぞれ保持している。
トーションスプリング３２は断面が円形の弾性線材をコイル形状にプレス加工されたブラシスプリングであり、一端部が作用側端部３２ａを構成し、他端部が反力側端部３２ｂを構成する。
ステー１１の上面には、一対のトーションスプリング係止柱（以下、係止柱という。）３１、３１がそれぞれ直角に突設されており、両係止柱３１、３１は一対の支持柱３０、３０に隣接した位置にそれぞれ配置されている。両係止柱３１、３１には各トーションスプリング３２の反力側端部３２ｂがそれぞれ係止されている。
【００１３】
ブラシホルダのブラシ収容室２１には、コンミテータ１２Ａに摺接するブラシ３４が内外方向に摺動自在に収納されている。ブラシ３４はブラシ粒子が成形型によって突き固められて焼成された導電体である。ブラシ３４は断面略正方形の棒形状に形成されており、ブラシ収容室２１に対して若干小さめに相似している。すなわち、ブラシ収容室２１とブラシ３４との間には適度なクリアランスが確保されている。
【００１４】
ブラシ３４の径方向の外側端面３５にはトーションスプリング係止溝（以下、係止溝という。）３６が一体的に没設されている。係止溝３６は断面が三角形で、一定幅一定深さの細長い溝形状に形成されている。係止溝３６の溝幅（三角形の一辺長）は、トーションスプリング３２の作用側端部３２ａの太さ（直径）よりも小さい。係止溝３６はブラシ３４の一対の側面である上面および下面と平行に敷設されている。
【００１５】
モータが組み立てられた後には、係止溝３６にはトーションスプリング３２の作用側端部３２ａが係止されており、トーションスプリング３２の反力側端部３２ｂは係止柱３１に係止されている。トーションスプリング３２は反力側端部３２ｂにおいて係止柱３１に反力を取って、作用側端部３２ａにおいてブラシ３４に弾発力を付勢することにより、ブラシ３４の反対側端面（径方向内側端面）をコンミテータ１２Ａに押し付ける。
【００１６】
ブラシ３４の上面にはピグテール３７の一端が外側端面３５付近に配線されている。すなわち、ピグテール３７は一端部をブラシ３４の内部に埋め込まれて電気的に配線されており、ピグテール３７の配置は、ブラシ３４の外側端面３５に最も近い位置であって、ブラシ３４の内部に埋め込まれた先端が係止溝３６から露出しない位置に設定されている。つまり、ピグテール３７は係止溝３６に干渉しない範囲内で、ブラシ３４の有効長を最も確保することができる位置に配線されている。
ピグテール３７の他端はピグテール引出し用スリット２２を挿通されて、ブラシ収容室２１の外部に引き出され、給電装置１０のノイズ吸収素子としてのチョークコイル４０の端部にスポット溶着等で電気的に接続されている。
なお、符号５０は、給電装置１０に外部から電流を供給するための給電端子であって、チョークコイル４０と電気的に接続されている。
【００１７】
次に、以上の構成に係るモータの組立時におけるブラシホルダおよびトーションスプリングの作用および効果を、図４に即して説明する。
【００１８】
図４（ａ）はブラシをコンミテータに押圧させる前を示している。
この時には、トーションスプリング３２の作用側端部３２ａは退避溝２４に仮止めされている。すなわち、トーションスプリング３２の作用側端部３２ａがブラシ３４の係止溝３６から退避されることにより、トーションスプリング３２はブラシ３４を押圧方向に付勢しない状態になっている。
【００１９】
図４（ｂ）はコンミテータ１２Ａをコンミテータ挿通部１２内に位置させてブラシをコンミテータに押圧させる時を示している。
この時に、トーションスプリング３２の作用側端部３２ａが本体２０の天井壁側から押されることにより、退避溝２４からブラシ３４の係止溝３６に落とし込まれる。
すなわち、トーションスプリング３２の作用側端部３２ａが本体２０の天井壁側から押されると、作用側端部３２ａは退避溝２４から外れて、トーションスプリング用スリット２３の後端開口に落ち込み、ブラシ３４の係止溝３６に係止する。
例えば、トーションスプリング３２の作用側端部３２ａが本体２０の天井壁側から強く押されても、退避溝２４が形成された部分には本体２０の内外方向の寸法が短くされた段部２５とされているので、トーションスプリング３２の作用側端部３２ａはトーションスプリング用スリット２３を挟んだ下側の側壁（ガイド）によってブラシ３４の係止溝３６に導かれて係止する。
つまり、本実施の形態によれば、ブラシ３４をコンミテータ１２Ａに押圧させる際に、トーションスプリング３２の作用側端部３２ａを、仮止めのための退避溝２４からブラシ３４の係止溝３６へ確実に掛け替えることができる。
【００２０】
これに対して、図４（ｃ）に示されているように、本体２０の後端面に段部が設けられていない場合には、例えば、トーションスプリング３２の作用側端部３２ａが本体２０の天井壁側から強く押されると、作用側端部３２ａがうまくトーションスプリング用スリット２３内に入らずに、その開口縁を越えて本体２０の後端面の反対側に到達してしまうために、トーションスプリング３２の作用側端部３２ａをブラシ３４の係止溝３６に係止させることができなくなることがある。
【００２１】
なお、本発明は前記実施の形態に限定されるものではなく、その要旨を逸脱しない範囲で種々に変更が可能であることはいうまでもない。
【００２２】
例えば、退避部は溝形状によって構成するに限らず、トーションスプリングの作用側端部を係止可能な平坦面または突起等によって構成してもよい。
【００２３】
トーションスプリングの作用側端部をブラシホルダの天井壁側から操作して退避部から仮止めを解除する場合に限らず、ステー１１に貫通孔を設け、その貫通孔を介して本体２０の底壁側から解除する場合もある。
トーションスプリングの作用側端部が底壁側から引かれて解除される場合には、退避部が天井壁側に配置されるとともに、ガイドが反対側である底壁側に配置される。
トーションスプリングの作用側端部が底壁側から押されて解除される場合には、退避部が底壁側に配置されるとともに、ガイドが反対側である天井壁側に配置される。
【図面の簡単な説明】
【００２４】
【図１】本発明の一実施の形態である給電装置を示す平面図である。
【図２】その右側面図である。
【図３】（ａ）は図１のａ−ａ線に沿う断面図、（ｂ）は（ａ）の右側面図、（ｃ）は（ａ）の平面図である。
【図４】作用を説明するためのブラシホルダの各断面図であり、（ａ）はブラシをコンミテータに押圧させる前を示しており、（ｂ）はブラシをコンミテータに押圧させる時を示しており、（ｃ）は比較例を示している。
【符号の説明】
【００２５】
１０…給電装置、１１…ブラシホルダステー、１２…コンミテータ挿通部、１３…プラス側ブラシホルダ、１４…マイナス側ブラシホルダ、
１２Ａ…コンミテータ、
２０…本体、２１…ブラシ収容室、２２…ピグテール引出し用スリット、２３…トーションスプリング用スリット、２４…退避溝（退避部）、２５…段部、
３０…トーションスプリング支持柱、３１…トーションスプリング係止柱、
３２…トーションスプリング、３２ａ…作用側端部、３２ｂ…反力側端部、
３４…ブラシ、３５…外側端面、３６…係止溝（トーションスプリング係止溝）、３７…ピグテール、
４０…チョークコイル、５０…給電端子。
【図１】
0005199729.tif 000002
【図２】
0005199729.tif 000003
【図３】
0005199729.tif 000004
【図４】
0005199729.tif 000005